(57)【要約】【課題】室内空間を汚さず、水の使用量を増加させず、高い除菌および抗菌効果が得られる加湿装置を提供する。【解決手段】加湿装置１は、貯水部４２と、加湿部と、金属イオン生成部４００と、制御部１０３とを備えている。貯水部４２は、水を貯水させるための部材である。加湿部は、貯水部４２に貯水させた水を気化させるための部材である。金属イオン生成部４００は、貯水部４２に貯水させた水に金属イオンを添加する動作をするための部材である。制御部１０３は、加湿部の動作終了を検知して、金属イオン生成部４００を動作させる。【選択図】図７
2008309357.tif 000002
【特許請求の範囲】
【請求項１】
水を貯水させるための貯水部と、
前記貯水部に貯水させた水を気化させるための加湿部と、
前記貯水部に貯水させた水に金属イオンを添加する動作をするための金属イオン生成部と、
前記加湿部の動作終了を検知して、前記金属イオン生成部を動作させる制御部とを備えた、加湿装置。
【請求項２】
前記金属イオン生成部は、金属電極を含み、かつ前記金属電極に電圧を印加することで前記金属電極から前記金属イオンを溶出させるように構成されている、請求項１に記載の加湿装置。
【請求項３】
前記金属イオン生成部は、銀イオンを生成するように構成されている、請求項１または２に記載の加湿装置。
【請求項４】
前記金属イオン生成部は、前記貯水部の内部に配置されている、請求項１〜３のいずれかに記載の加湿装置。
【発明の詳細な説明】
【技術分野】
【０００１】
本発明は、加湿装置に関するものであり、貯水部および加湿部に発生する細菌を抑制する加湿装置に関する。
【背景技術】
【０００２】
従来、加湿装置は、水を貯める貯水部と、貯水部の水を気化させる加湿部とを備えた構成のものが用いられている。加湿部の加湿方式としては、水を加熱して蒸発させる加熱方式、空気中に水を超音波などで霧状に放出して気化させる霧化式、および吸水した加湿フィルタに空気を通過させて気化させる気化方式などが知られている。このような加湿装置においては、加湿装置内の貯水部などで細菌が繁殖し、その結果としてぬめりなどが発生することが頻繁にあった。さらにカビが生える場合もあり、使用者が不快感とともに清掃する必要があるという問題があった。
【０００３】
これらの問題を解決するものとして加湿装置の水周りに対する除菌および抗菌技術が、たとえば実公昭６１−３３４５７号公報（特許文献１）、特表２００４−５２４８７５号公報（特許文献２）、特開２００５−３４５０４７号公報（特許文献３）および特開２００６−２００８８７号公報（特許文献４）などに記載されている。
【０００４】
上記特許文献１には、電解により銀イオンを水に添加し、その水を超音波で霧化する霧化式の加湿器が記載されている。上記特許文献２には、供給される水として蒸留水を使用し、電解により銀イオンを蒸留水に添加し、その水を超音波で霧化する霧化式の加湿装置が記載されている。上記特許文献３には、吸水材からなる加湿材に、銀イオン水を掛け流して、加湿材を殺菌する気化方式の加湿器が記載されている。上記特許文献４には、水の電気伝導度に基づいて電極間の電流を制御して除菌を行なう気化方式の加湿装置が記載されている。
【特許文献１】実公昭６１−３３４５７号公報
【特許文献２】特表２００４−５２４８７５号公報
【特許文献３】特開２００５−３４５０４７号公報
【特許文献４】特開２００６−２００８８７号公報
【発明の開示】
【発明が解決しようとする課題】
【０００５】
しかしながら、上記特許文献１および２に記載の霧化式の場合には、水に含まれる溶存成分が水とともに空気中に飛散してしまい、室内などを汚染してしまうという課題がある。
【０００６】
上記特許文献３および４に記載の気化式の場合には、加湿装置から放出されるのがほとんど水分のみであるので、霧化式の加湿装置のように水に含まれる溶存成分が空気中に飛散するので、室内などを汚染してしまうことは問題にならない。しかし、その溶存成分は加湿器内の水に残留するため、加湿器内の水の溶存成分濃度が非常に高くなる。溶存成分の濃度が高くなると、電極にスケールが発生し、水の導電率が高くなるため、電気分解を行なうための電流および電圧が一定しない。その結果、電気分解により生成される除菌および抗菌物質の量が不安定であるという課題がある。
【０００７】
また上記特許文献３に記載の銀イオン水を掛け流しにする加湿装置では、新しく供給された水に銀イオンを溶出しているため、水の使用量が多くなり、排水が必要になるなど加湿装置の構成への制限が大きくなるという課題がある。特に、電極の通電を運転終了時に行なう場合には、運転終了後に水を電極に供給する必要があり、水の供給を続けなければならないため、水の使用量が多くなる。また、銀イオン水を掛け流しにするため、フィルターに銀が蓄積しにくく、フィルターを十分に抗菌できないおそれもある。
【０００８】
また上記特許文献４に記載の供給される水の電気伝導度を検知して、制御する加湿装置では、貯水槽に貯留される水の電気伝導度が異なる場合に除菌効果が得られる。しかし、供給される水の電気伝導度が高い時に除菌が行なわれるため、供給される水の電気伝導度が低いときに必ずしも除菌が十分でないという課題がある。
【０００９】
したがって、本発明の目的は、室内空間を汚さず、水の使用量を増加させず、高い除菌および抗菌効果が得られる加湿装置を提供することである。
【課題を解決するための手段】
【００１０】
本発明の加湿装置は、貯水部と、加湿部と、金属イオン生成部と、制御部とを備えている。貯水部は、水を貯水させるためのものである。加湿部は、貯水部に貯水させた水を気化させるためのものである。金属イオン生成部は、貯水部に貯水させた水に金属イオンを添加する動作をするためのものである。制御部は、加湿部の動作終了を検知して、金属イオン生成部を動作させるものである。
【００１１】
本発明の加湿装置によれば、加湿部の動作終了を検知できるので、貯水部に貯水された水の硬度および導電率が相対的に低いときである加湿部の動作終了後に、金属イオン生成部を動作できる。そのため、金属イオンが効率良く生成され得る。また、細菌数が相対的に少ない加湿部の動作終了後に、貯水部に貯水させた水に金属イオンを添加できる。そのため、細菌数が相対的に少ない時に除菌および抗菌効果を付与できるので、除菌および抗菌効果を効果的に発揮させることができる。よって、金属イオンを生成するために水の追加を必要とせずに、高い除菌および抗菌効果が得られる。
【００１２】
上記加湿装置において好ましくは、金属イオン生成部は、金属電極を含み、かつ金属電極に電圧を印加することで金属電極から金属イオンを溶出させるように構成されている。
【００１３】
これにより、金属電極の材料および印加する電圧の大きさによって、所望の金属イオンを所望の濃度で容易に得ることができる。
【００１４】
上記加湿装置において好ましくは、金属イオン生成部は、銀イオンを生成するように構成されている。
【００１５】
銀イオンは高い抗菌効果を有するため、銀イオンを貯水させた水に添加することで、その水中における細菌の繁殖を抑制することができる。そのため、カビやぬめりなども防止することができる。
【００１６】
上記加湿装置において好ましくは、金属イオン生成部は、貯水部の内部に配置されている。
【００１７】
これにより、貯水部に供給された水を利用して金属イオンを生成できるので、金属イオンを添加するための水を供給する必要がない。そのため、加湿部の動作に必要な量の水を用いて、除菌および抗菌効果を付与することができる。
【発明の効果】
【００１８】
本発明の加湿装置によれば、室内空間を汚さず、水の使用量を増加させず、高い除菌および抗菌効果が得られる。
【発明を実施するための最良の形態】
【００１９】
以下、図面に基づいて本発明の実施の形態を説明する。なお、以下の図面において同一または相当する部分には、同一の参照符号を付し、その説明は繰り返さない。
【００２０】
図１〜図６を参照して、本実施の形態における加湿装置の構成を説明する。図１は、本発明の実施の形態における加湿装置を前面側から見た斜視図であり、図２は、背面側から見た分解斜視図である。図３は、給水タンクを示す斜視図である。図４は、トレイを示す斜視図である。図５は、図４におけるＶ−Ｖでの断面図である。図６は、金属イオン生成部を示す模式図である。
【００２１】
図１および図２に示すように、本実施の形態における加湿装置１は、本体部２と、給水タンク３と、貯水部としてのトレイ４（トレイ４の貯水部４２）と、加湿部としてのフィルタ５およびファン１０（図７参照）と、金属イオン生成部４００（図５〜図７参照）と、制御部１０３（図７参照）とを主に備えている。制御部１０３は、加湿部の動作終了を検知して、金属イオン生成部４００を動作させる。
【００２２】
図１に示すように、本体部２の一方側面には、円弧状に開口した形状のタンク装着壁２ａが本体部２の高さ方向に延びて形成されている。タンク装着壁２ａは、本体部２の一方側面側に給水タンク３を装着するための空間を形成している。図２に示すように、本体部２の下方には、本体部２の背面側からトレイ４が着脱される空間（トレイ装着部２ｃ）が設けられている。本体部２の他方側面には、縦にスリットの入った吸込口７が設けられている。本体部２の内部には、吸込口７と対向する位置にエアフィルタ（図示せず）が設けられている。本体部２の前面側上部には、各種ボタンが形成された操作部８が設けられている。本体部２の背面側上部には、一方側面から他方側面に向けて複数のスリットが入った吹出口９が設けられている。
【００２３】
図２に示すように、フィルタ５は、トレイ４に貯水させた水を気化させるための加湿部を構成している。フィルタ５は、トレイ４の貯水部４２の内部に収納された状態で、本体部２のトレイ装着部２ｃに装着されている。フィルタ５は、直方体形状の枠体であるフィルタケース５１の枠内に凹凸が繰り返し形成された形状の給水フィルタ５２が収容されている。
【００２４】
図３に示すように、給水タンク３は、トレイ４に水を給水するためのものであり、本体部２に対して着脱可能である。給水タンク３の容器３０は、内部に水を保持し、一方が開口した有底円筒体であり、水位が外から見えるように構成されている。取手部３１は、容器３０に取り付けられており、手先を挿入すると給水タンク３を持ち運びできる。蓋部３２は、容器３０の開口部に対して着脱可能である。蓋部３２には溝（図示せず）が設けられている。蓋部３２が容器３０に取り付けられた状態の給水タンク３をトレイ４に装着すると、溝を介して容器３０からトレイに水が給水される。
【００２５】
図４に示すように、トレイ４は、水を貯水させるための貯水部であり、本体部２に対して着脱可能である。トレイ４は、有底筒型のタンク挿入部４１と、皿形状の貯水部４２とを含んだ樹脂製の一体成型品である。また、トレイ４が本体部２のトレイ装着部２ｃ（図２参照）に装着される。トレイ４が本体部２に取り付けられると、トレイ４は本体部２の背面および側面の一部を構成している。
【００２６】
トレイ４の一方側面側（図４において左側）には、筒状のタンク挿入部４１が形成されている。トレイ４がトレイ装着部２ｃに装着されると、本体部２の一方側面ではタンク挿入部４１が本体部２の外部に露出し、本体部２の内部では貯水部４２が収容される。また、本体部２の一方側面におけるトレイ装着部２ｃの上方に形成されたタンク装着壁２ａと、トレイ４のタンク挿入部４１の円弧状壁４１ｂとが連なり、タンク挿入部４１の内部とその上方空間に、給水タンク３を装着するための円柱型のタンク装着部が形成される。
【００２７】
タンク挿入部４１には、周囲に半円形の壁４１ａと、壁４１ａと連なり、壁４１ａの高さよりも高い円弧状壁４１ｂとが設けられている。タンク挿入部４１の底面において、最も高さの低い領域に水路４１ｃが形成され、水路４１ｃよりも高い領域には円台４１ｅが形成されている。円弧状壁４１ｂの底部において、タンク挿入部４１と貯水部４２との境界に開口４１ｄが設けられ、水路４１ｃは開口４１ｄを介して貯水部４２内に通じている。円台４１ｅには、円柱４３が設けられている。給水タンク３がトレイ４に装着されたときに円柱４３が蓋部３２を押圧し、蓋部３２の溝を介して給水タンク３の内部の水がタンク挿入部４１に流れ込み、流れ込んだ水が水路４１ｃおよび開口４１ｄを流れて貯水部４２内に水が貯水される。
【００２８】
図４および図５に示すように、貯水部４２の底面には、前面側から背面側への略中央において、タンク挿入部４１から他方側面へかけて平面形状が矩形の凹部４２ｂが設けられている。凹部４２ｂ上には、水が下方に浸透するように空洞を有する網状の樹脂製の蓋部４２ｄが配置されている。蓋部４２ｄと、底面部４２ａとは同一平面上に位置付けられている。底面部４２ａと蓋部４２ｄとからなる平面は、凸部４２ｃに対して凹部となり、フィルタ５を装着するためのフィルタ装着部を形成する。すなわち、フィルタ５は、底面部４２ａおよび蓋部４２ｄで構成される平面と、凸部４２ｃとの間にはめ込まれる。
【００２９】
図５に示すように、網状の蓋部４２ｄの下に形成された凹部４２ｂには、金属イオン生成部４００が設けられている。金属イオン生成部４００は、貯水部としてのトレイ４に貯水させた水に金属イオンを添加する動作をするためのものである。金属イオン生成部４００は、電気配線（図示せず）により、金属イオン生成部４００を動作させるための制御部１０３（図７参照）および加湿装置１の運転制御を行なっている制御部１０５（図７参照）に繋がっている。
【００３０】
図６に示すように、金属イオン生成部４００は、貯水部４２に貯水させた水に金属イオンを添加する動作をするためのものである。金属イオン生成部４００が金属イオンを生成させる方法は、特に限定されず、たとえば電気分解や溶出などが挙げられる。金属イオン生成部４００は、金属電極を含み、かつ金属電極に電圧を印加することで金属電極から金属イオンを溶出させるように構成されていることが好ましい。
【００３１】
本実施の形態では、図６に示すように、金属イオン生成部４００の内部には、２枚の板状の金属を含む電極４０１ａ，４０１ｂが間隔をおいて配置されている。電極４０１ａ，４０１ｂは電極端子収納部４０２を介して電気配線（図示せず）に接続されており、印加される電圧に応じた電気的制御を受ける。電極４０１ａ，４０１ｂが短絡しないように、電極４０１ａ，４０１ｂ間を一定間隔に保つためスペーサー４０３が設けられている。貯水部４２に水が供給されているときに、電極４０１ａ，４０１ｂ間に電圧を印加することにより、金属イオン生成部４００の内部に金属イオンが溶出し、貯水部４２に貯水されている水に除菌および抗菌効果が付与される。
【００３２】
金属イオン生成部４００の配置は、生成する金属イオンを貯水部４２に貯水させた水に添加できれば特に限定されないが、本実施の形態では、金属イオン生成部４００は貯水させた水と接触するように配置されている。
【００３３】
また、金属イオン生成部４００は、電極４０１ａ，４０１ｂを構成する材料を分解するための電気分解部である。また、金属イオン生成部４００は、金属イオンを生成できれば特に限定されないが、銀イオンを生成するように構成されていることが好ましい。すなわち、電極４０１ａ，４０１ｂは、銀を含む材料であることが好ましい。電極４０１ａ，４０１ｂを構成する材料が銀で、電極４０１ａ，４０１ｂ間を流れる電流が直流である場合には、陽極側の電極において下記の（式１）の反応が生じ、貯水部４２に貯水させた水に銀イオン（Ａｇ+）が溶出する。
Ａｇ→Ａｇ＋ｅ-  ・・・・・（式１）
【００３４】
電極４０１ａ，４０１ｂを構成する金属は銀に限定されず、たとえば銅、亜鉛、および、銀と銅と亜鉛との合金などであってもよい。銀を含む電極から溶出する銀イオンと、亜鉛を含む電極から溶出する亜鉛イオンとは、殺菌効果に優れている。銅を含む電極から溶出する銅イオンは、防カビ性に優れている。また、これらの合金を含む電極は、これらの金属のイオンを同時に溶出させることができるので、優れた殺菌効果および防カビ効果を得ることができる。
【００３５】
次に、図１〜図８を参照して、本実施の形態における加湿装置１の動作について説明する。図７は、本発明の実施の形態における加湿装置の除菌効果を付与する工程を示すフローチャートである。図８は、本発明の実施の形態における加湿装置の制御を示す模式図である。
【００３６】
まず、加湿装置１の加湿動作を説明する。図１〜図５に示すように、内部に水が保持されている給水タンク３を本体部２のタンク装着壁２ａおよびトレイ４のタンク挿入部４１に装着する。給水タンク３の蓋部３２の溝およびトレイ４のタンク挿入部４１の開口４１ｄ（図４参照）を介して、給水タンク３の内部の水が貯水部４２に供給される。供給された水を貯水部４２に貯水させ、貯水させた水をフィルタ５に吸い込ませる。この状態で本体部２の操作部８により、またはタイマー運転により、加湿装置１の電源をＯＮにすると、加湿部の動作が開始される。具体的には、ファン１０が起動され、ファン１０により本体部２の吸込口７から吸込んだ空気をフィルタ５に送り込み、フィルタ５に吸水された水が急速に気化されて、気化された水を含んだ空気が吹出口９から排出される。このようにして、加湿装置１の加湿部が動作される。
【００３７】
続いて、加湿装置１を停止させる動作を説明する。本実施の形態では、加湿部の動作終了後に金属イオン生成部４００を動作させる。
【００３８】
まず、図７および図８に示すように、本体部２の操作部８により、またはタイマー運転により、加湿部の運転を停止させる（ステップＳ１０１）。本実施の形態では、ファン１０を停止させることによって、加湿部の運転を停止させている。加湿部の運転を停止させると、センサ１０１に加湿部の運転停止（動作終了）の信号が送られる。
【００３９】
センサ１０１で加湿部の動作終了が検知されると、貯水部４２に金属イオン生成部４００を動作させるために要する量の水が貯水されているかが判断される（ステップＳ１０２）。水の貯水量は、水位センサ１０２で検出される。水位センサ１０２で検出された水の量が金属イオン生成部４００を動作させる量に満たない場合には、工程（ステップＳ１０２）においてＮｏと判断される。この場合は、後述する加湿装置１の電源がＯＦＦにされる（ステップＳ１０５）。一方、水位センサ１０２で検出された水の量が金属イオン生成部４００を動作させることができる量を満たしている場合には、工程（ステップＳ１０２）においてＹｅｓと判断される。
【００４０】
工程（ステップＳ１０２）でＹｅｓと判断された場合には、制御部１０３にその信号を送り、金属イオン生成部４００を動作させる。制御部１０３は、加湿部の動作終了を検知して、金属イオン生成部４００を動作させる。制御部１０３には、タイマーが取り付けられていてもよい。言い換えると、センサ１０１および水位センサ１０２から信号を受信して直ちに金属イオン生成部４００を動作させてもよいし、センサ１０１および水位センサ１０２から信号を受信してから時間をあけて金属イオン生成部４００を動作させてもよい。センサ１０１および水位センサ１０２から信号を受信してから金属イオン生成部４００を動作させるまでの時間は、貯水させた水の導電率および硬度が低いこと、および発生している細菌数が少ない理由から、３０分以内であることが好ましい。
【００４１】
本実施の形態の金属イオン生成部４００は電気分解部であるので、制御部１０３により、電極４０１ａ，４０１ｂ間に電圧を印加することで電極４０１ａ，４０１ｂから金属イオンを溶出させる。溶出させた金属イオンは、貯水部４２に貯水させた水に添加される。貯水部４２に貯水させた水に銀イオンがなどの金属イオンを溶出させると、除菌および抗菌効果を付与することができる。また、貯水部４２に貯水された除菌および抗菌効果を付与された水はフィルタ５に吸い上げられることにより、フィルタ５にも除菌および抗菌効果が付与される。
【００４２】
制御部１０３は、印加する電圧を制御して、高濃度の金属イオンを生成することが好ましい。高濃度の金属イオンを貯水部４２に貯水させた水に添加することによって、フィルタ５に金属イオンを蓄積させやすい。そのため、金属イオンを含む水が接触するタンク挿入部４１や貯水部４２のみでなく、最も細菌が繁殖される加湿フィルタ５にも除菌および抗菌効果を付与できる。このような高濃度の金属イオンとしては、たとえば４５０ｐｐｂ以上の濃度の銀イオンが例示される。電極４０１ａ，４０１ｂが銀電極である場合には、たとえば２９ｍＡの一定電流が流れるよう電圧を印加する。ただし、銀イオンの濃度は特にこれに限定されず、細菌の除去に効果がある濃度以上の濃度であればよい。
【００４３】
所望の濃度の金属イオンを生成した後に、金属イオン生成部４００の動作を停止させる（ステップＳ１０４）。本実施の形態では、電極４０１ａ，４０１ｂに電圧を印加することを停止する。金属イオン生成部４００の動作の停止は、制御部１０３で制御される。
【００４４】
金属イオン生成部４００の動作を停止させると、制御部１０５に金属イオン生成部４００の運転停止の信号が送られる。あるいは、工程（ステップＳ１０２）でＮｏと判断された信号が制御部１０５に送られる。このような信号を受信した制御部１０５によって、加湿装置１の電源がＯＦＦにされる。すなわち、使用者による操作部８の操作またはタイマーにより、加湿部の運転が停止されると、加湿装置１の電源はすぐにＯＦＦにならずに、貯水部４２の水に抗菌効果を付与した後に、自動的に加湿装置１の電源がＯＦＦになる。
【００４５】
以上説明したように、本実施の形態における加湿装置１は、加湿部の動作終了を検知して、金属イオン生成部４００を動作させる制御部１０３を備えている。
【００４６】
加湿部の運転停止（ステップＳ１０１）直後は、貯水部４２に貯水させた水が供給された直後で比較的新鮮であり、水中に存在する細菌数が少ないため、水に金属イオンを添加すると除菌が容易である。また、加湿部の運転停止（ステップＳ１０１）直後の貯水部４２に貯水させた水の硬度も高くないため、スケールの析出などが抑制されているので、金属イオン生成部４００を動作させると、効率よく所望の濃度の金属イオンを含む水を得ることができる。一方、加湿部の運転停止（ステップＳ１０１）から所定時間（たとえば数時間）以上経過すると、フィルタ５に繁殖している細菌が重力によって落ちてくるため、貯水部４２に貯水された水の細菌数は多くなる。また、フィルタ５に蓄積している水道水中の硬度成分も落ちてくるため、貯水部４２に貯留している水の硬度が高くなる。本発明者は、金属イオン生成部４００を動作させるタイミングと生成された金属イオンを貯水部４２に貯水された水に添加するタイミングとに着目して、本発明の制御部１０３を見出した。
【００４７】
そのため、本実施の形態の加湿装置１によれば、加湿部の動作終了を検知できるので、加湿部の動作終了（ステップＳ１０１）後の貯水部４２に貯水された水が相対的に硬度および導電率が低いときに、スケールの析出により金属イオンの生成が妨げられることを防止できるので、金属イオンが効率良く生成される。また、貯水部４２に貯水された水に仮に細菌が発生しても、細菌数が相対的に少ない加湿部の動作終了（ステップＳ１０１）後に金属イオンを添加できる。そのため、細菌数が相対的に少ない時に除菌および抗菌効果を付与できるので、除菌および抗菌効果を効果的に発揮させることができる。また、加湿部の運転停止（ステップＳ１０１）後から次の加湿装置１の運転開始までの間に、金属イオンが添加された水がタンク挿入部４１や貯水部４２に接触するため、除菌および抗菌効果を高めることができる。さらに、加湿部の運転停止された後の加湿装置１の運転開始後には、貯水部４２に貯水された金属イオンが添加された水をフィルタ５が吸い上げるので、フィルタ５には金属イオンが定着しやすい。そのため、フィルタ５に高い抗菌効果が得られる。よって、高い除菌および抗菌効果を有する。
【００４８】
また、貯水部４２に貯水された水が、クリーンな状態に保たれるので、水が接触する貯水部４２やフィルタ５にぬめりが発生しにくく、加湿装置１が清潔な状態に保たれる。そのため、使用者の不快感を抑制するとともに清掃する頻度を低減できる。
【００４９】
さらに、金属イオン生成部４００は、貯水部４２に貯水させた水に金属イオンを添加する動作をするので、金属イオンを生成するために水を要しない。特に、金属イオン生成部４００が貯水部の内部に配置されていると、金属イオンを生成するために使用する水と金属イオンを添加する水とが同じである。そのため、新たに水を要しないので、水の使用量を増加させない。
【００５０】
さらには、気化式の加湿装置１は、霧化式の加湿装置のように、水に含まれる溶存成分を水とともに空気中に飛散しない。そのため、室内などを汚染してしまうことを防止できる。
【００５１】
本実施の形態における加湿装置１において好ましくは、制御部１０３は、加湿部の動作終了（ステップＳ１０１）を検知して、３０分以内に金属イオン生成部４００を動作させることが好ましい。加湿部の動作終了（ステップＳ１０１）後３０分以内の間は、細菌数が非常に少なく、導電率および硬度が低いので、除菌および抗菌効果を高めることができる。
【００５２】
なお、本明細書では、加湿部の運転の停止直後とは、センサ１０１で加湿部の動作終了が検知された時を意味し、加湿部の動作が停止した時からセンサ１０１で加湿部の動作終了が検知された時までのタイムラグがあってもよい。
【００５３】
［実施例１］
本実施例では、加湿部の動作終了を検知して、金属イオン生成部を動作させる制御部により、硬度および導電率が低いときに金属イオン生成部を動作する効果について確認した。
【００５４】
図１〜図７において制御部１０３を備えていない加湿装置を用いて、加湿部の運転開始から運転停止後３時間まで所定時間経過時の貯水部に貯水された水の硬度および導電率を測定した。その結果を図９および表１に示す。図９は、実施例１における加湿部の運転開始からの経過時間と硬度との関係を示す図である。図９において、横軸は加湿部の運転開始からの経過時間（単位：時間）を示し、縦軸は、硬度（単位：ｍｇ／Ｌ）を示す。
【００５５】
なお、図９および表１において経過時間が０の運転開始には、加湿装置１を運転開始する前に貯水部に貯水された水、すなわち前回の加湿部の運転停止後に金属イオンが添加されずに残っていた水の硬度および導電率を測定した。
【００５６】
【表１】
2008309357.tif 000003
【００５７】
図９および表１に示すように、加湿装置１の運転開始前に貯水部に貯水された水の硬度は２０００（ｍｇ／Ｌ）と高く、かつ導電率は１４１６０（μＳ）と高かった。これは、フィルタ５に蓄積されている水の硬度成分が、加湿部の運転停止中に貯水部４２に残っていた水に溶け出したと考えられる。
【００５８】
図９に示すように、加湿部の運転開始後は、新たな水が供給されるため硬度が徐々に低下し、運転開始から３時間経過した後には、通常の水道水レベルになった。また、加湿部の運転開始から４時間経過した後には、貯水部に貯水された水の導電率も通常の水道水レベルになった。
【００５９】
その後、さらに加湿部を運転すると、貯水部の水の硬度および導電率は、通常の水道水レベルを維持できた。そして、加湿部を８時間運転した後、加湿部を停止させた。
【００６０】
図９に示すように、加湿部の停止から１時間経過までの間は、貯水部に貯水された水は、停止直後の低い硬度を維持できた。しかし、加湿部の停止から１時間を越えると、貯水部に貯水された水の硬度が高くなり始めた。また、表１に示すように、加湿部の運転停止から３０分経過までは、貯水部に貯水された水は、加湿部の停止直後の低い導電率を維持できた。しかし、加湿部の停止から３０分を越えると、貯水部に貯水された水の導電率が高くなり始めた。
【００６１】
このことから、加湿部の運転停止直後から３０分経過までの間は、硬度および導電率が水道水レベル（効率よく金属イオンを溶出できるレベル）であり、金属イオンを溶出するのに好ましい条件であることがわかった。そのため、加湿部の動作終了を検知して、金属イオン生成部を動作させる制御部を備えた加湿装置１によれば、硬度および導電率が低いときに金属イオン生成部を動作させることができるため、金属イオンが効率よく生成されることがわかった。特に、本実施例によれば、制御部は、加湿部の動作終了を検知して、３０分以内に金属イオン生成部を動作させることが好ましいことがわかった。
【００６２】
また、加湿部の運転開始（経過時間が０時間）後に水の硬度および導電率が低下したことから、加湿部の運転停止中に貯水部に貯水された水に溶け出していた硬度成分がフィルタ５に吸い上げられていたことがわかる。そのため、加湿部の動作終了を検知して、金属イオン生成部を動作させる制御部を備えた加湿装置１によれば、加湿部の運転停止中に水に添加した金属イオンをフィルタ５に吸い上げることができるので、加湿部の運転停止中に金属イオンがフィルタ５上に存在していることとなる。よって、本発明によれば、フィルタ５の除菌および抗菌効果が得られることがわかった。
【００６３】
なお、図９および表１に示したデータは、通常よりも多く硬度成分が付着したフィルタ５を用いた限界実験とした。そのため、運転開始時に貯水部に貯水された水の硬度は、通常の使用時と比べて非常に高い値であった。フィルタ５に硬度成分を付着していない通常の使用の場合には、運転開始時の水の硬度は４８０（ｍｇ／Ｌ）程度であり、加湿部を８時間運転させた後に、加湿部の運転を停止させた時の硬度は、通常の水道水レベル（約５０ｍｇ／Ｌ）である。
【００６４】
［実施例２］
本実施例では、加湿部の動作終了を検知して、金属イオン生成部を動作させる制御部により、細菌数が少ないときに金属イオン生成部を動作する効果について確認した。
【００６５】
図１〜図７において制御部を備えていない加湿装置を用いて、貯水部４２に貯水させた水に１０4（個／ｍｌ）の細菌を添加し、その状態で加湿部を８時間運転した後に加湿部の運転を停止した。加湿部の運転開始直前の細菌数と、加湿部の停止直後の細菌数と、加湿部停止から１２時間経過後の細菌数とを測定した。その結果を図１０に示す。図１０は、加湿部の運転および停止と細菌数との関係を示す図である。図１０において横軸は、加湿部の運転状態を示し、縦軸は細菌数（単位：個／ｍｌ）を示す。
【００６６】
図１０に示すように、運転開始直前に添加した１０4（個／ｍｌ）の細菌数は、８時間の加湿部の運転で１０2（個／ｍｌ）未満となった。ただし、フィルタ５に細菌が吸い上げられている可能性が考えられる。
【００６７】
また、図１０に示すように、加湿部の運転停止から１２時間経過後の貯水部に貯水されていた水の細菌数は、１０4（個／ｍｌ）を越えていた。このことから、フィルタ５に吸い上げられた細菌が貯水部の水中に再分散した可能性が考えられる。
【００６８】
以上より、本実施例によれば、金属イオンを添加するタイミングは、貯水部に貯水された水の細菌数が少ない加湿運転停止直後が好ましいことがわかる。そのため、本発明の加湿部の動作終了を検知して、金属イオン生成部を動作させる制御部を備えた加湿装置１によれば、貯水部に貯水された水の細菌数が少ないタイミングで金属イオンを添加することができるので、高い除菌効果が得られることがわかる。なお、再分散する細菌についても同様に、水中の金属イオンにより殺菌される。
【００６９】
［実施例３］
本実施例では、加湿部の動作終了を検知して、金属イオン生成部を動作させる制御部を備えることにより、発生する細菌数を低減できる効果について確認した。
【００７０】
本発明例では、加湿部の動作終了を検知して、直ちに（加湿部の動作が停止した信号をセンサ１０１から制御部１０３が受信して時間をあけずに）金属イオン生成部を動作させて４５０ｐｐｂの銀イオンを添加する制御部１０３を備えた図１〜図７に示す加湿装置を用いた。一方、比較例では、本発明例と基本的には同様の構成を備えているが、制御部を備えていない点においてのみ異なる加湿装置を用いた。すなわち、比較例では、加湿部の動作終了後に金属イオンを添加しない加湿装置を用いた。
【００７１】
本発明例および比較例の加湿装置を用いて、８時間の加湿部の運転を行ない、運転動作終了直後に銀イオン濃度が４５０ｐｂとなるように銀イオンを１回添加した。その後、加湿装置を１６時間停止させた後、加湿部の運転を開始した。この加湿部の運転開始直前に、貯水部４２に貯水させた水の細菌数について測定した。その結果を図１１に示す。図１１は、加湿装置の設置日数と細菌数との関係を示す図である。図１１において横軸は、加湿装置の設置日数（単位：日）を示し、縦軸は細菌数（単位：個／ｍｌ）を示す。
【００７２】
図１１に示すように、３７日後の細菌数は、本発明例では１０（個／ｍｌ）以下で、高い除菌および抗菌効果を示していた。一方、比較例では、３７日後の細菌数は、１０3（個／ｍｌ）を越えており、細菌数に２桁以上の差があった。
【００７３】
以上より、本実施例によれば、加湿部の動作終了を検知して、金属イオン生成部を動作させる制御部を備えることにより、細菌数を低減できる加湿装置が得られることが確認できた。
【００７４】
今回開示された実施の形態および実施例はすべての点で例示であって制限的なものではないと考えられるべきである。本発明の範囲は上記した実施の形態ではなくて特許請求の範囲によって示され、特許請求の範囲と均等の意味および範囲内でのすべての変更が含まれることが意図される。
【図面の簡単な説明】
【００７５】
【図１】本発明の実施の形態における加湿装置を前面側から見た斜視図である。
【図２】本発明の実施の形態における加湿装置を背面側から見た分解斜視図である。
【図３】本発明の実施の形態における加湿装置を構成する給水タンクを示す斜視図である。
【図４】本発明の実施の形態における加湿装置を構成するトレイを示す斜視図である。
【図５】図４におけるＶ−Ｖでの断面図である。
【図６】本発明の実施の形態における加湿装置を構成する金属イオン生成部を示す模式図である。
【図７】本発明の実施の形態における加湿装置の除菌効果を付与する工程を示すフローチャートである。
【図８】本発明の実施の形態における加湿装置の制御を示す模式図である。
【図９】実施例１における加湿部の運転開始からの経過時間と硬度との関係を示す図である。
【図１０】実施例２における加湿部の運転および停止と細菌数との関係を示す図である。
【図１１】加湿装置の設置日数と細菌数との関係を示す図である。
【符号の説明】
【００７６】
１  加湿装置、２  本体部、２ａ  タンク装着壁、２ｃ  トレイ装着部、３  給水タンク、４  トレイ、５  フィルタ、７  吸込口、８  操作部、９  吹出口、３０  容器、３１  取手部、３２  蓋部、４１  タンク挿入部、４１ａ  壁、４１ｂ  円弧状壁、４１ｃ  水路、４１ｄ  開口、４１ｅ  円台、４２  貯水部、４２ａ  底面部、４２ｂ  凹部、４２ｃ  凸部、４２ｄ  蓋部、４３  円柱、５１  フィルタケース、５２  給水フィルタ、１０１  センサ、１０２  水位センサ、１０３，１０５  制御部、４００  金属イオン生成部、４０１ａ，４０１ｂ  電極、４０２  電極端子収納部、４０３  スペーサー。
【図１】
2008309357.tif 000004
【図２】
2008309357.tif 000005
【図３】
2008309357.tif 000006
【図４】
2008309357.tif 000007
【図５】
2008309357.tif 000008
【図６】
2008309357.tif 000009
【図７】
2008309357.tif 000010
【図８】
2008309357.tif 000011
【図９】
2008309357.tif 000012
【図１０】
2008309357.tif 000013
【図１１】
2008309357.tif 000014